(57)【要約】【課題】電線が傷付けられることを防止できるとともに、配線スペースにおける部品の位置を容易に調整できる、配線部材およびそれを用いた配線ユニットを提供する。【解決手段】本発明に係る配線部材１４は、複数の端子２６，２６…を有する中継コネクタ１６と複数の端子２６，２６…のそれぞれに電気的かつ物理的に接続された複数の電線２２，２２…とを有するワイヤーハーネス１２を配線スペースＲにおいて支持するものであり、中継コネクタ１６を支持するための第１支持部３４と、複数の電線２２，２２…を支持するための第２支持部３６とを備えている。第１支持部３４および第２支持部３６は、ゴム弾性を有する材料で一体的に形成されている。【選択図】図１
2017108569.tif 000002
【特許請求の範囲】
【請求項１】
複数の端子を有する中継コネクタと前記複数の端子のそれぞれに電気的かつ物理的に接続された複数の電線とを有するワイヤーハーネスを配線スペースにおいて支持するための配線部材であって、
前記中継コネクタを支持するための第１支持部と、
前記複数の電線を支持するための第２支持部とを備え、
前記第１支持部および前記第２支持部は、ゴム弾性を有する材料で一体的に形成されている、配線部材。
【請求項２】
前記中継コネクタは、複数の爪部を有しており、
前記第１支持部には、前記複数の爪部のそれぞれに対応する複数の取付孔が形成されており、
前記複数の爪部が前記複数の取付孔に挿し込まれる、請求項１に記載の配線部材。
【請求項３】
前記第１支持部および前記第２支持部の少なくとも一方には、固定具が挿通される固定孔を有する固定部がゴム弾性を有する材料で一体的に設けられている、請求項１または２に記載の配線部材。
【請求項４】
前記第２支持部は、前記複数の電線を収容する溝部を有している、請求項１ないし３のいずれか１項に記載の配線部材。
【請求項５】
前記溝部には、前記第２支持部から外側に引き出される前記複数の電線の少なくとも１本を通すための窓部が設けられている、請求項４に記載の配線部材。
【請求項６】
前記第２支持部には、前記複数の電線の少なくとも１本を覆う離脱防止部がゴム弾性を有する材料で一体的に設けられている、請求項１ないし５のいずれか１項に記載の配線部材。
【請求項７】
前記離脱防止部は、その一端が前記第２支持部の幅方向一方側部に連結された帯状部と、前記帯状部の他端に設けられた第１接続片と、前記第２支持部の幅方向他方側部に設けられ、前記第１接続片が着脱可能に接続される第２接続片とを有している、請求項６に記載の配線部材。
【請求項８】
前記離脱防止部は、前記第２支持部から引き出された前記複数の電線の少なくとも１本が通される引出孔と、前記引出孔を径方向に開放する窓部とを有している、請求項６に記載の配線部材。
【請求項９】
複数の端子を有する中継コネクタと前記複数の端子のそれぞれに電気的かつ物理的に接続された複数の電線とを有するワイヤーハーネスと、
請求項１ないし８のいずれか１項に記載の配線部材とを備える、配線ユニット。
【発明の詳細な説明】
【技術分野】
【０００１】
本発明は、電気配線に用いられるワイヤーハーネスを配線スペースにおいて支持するための配線部材およびそれを用いた配線ユニットに関する。
【背景技術】
【０００２】
自動車の無断変速機（Continuously Variable Transmission:ＣＶＴ）などの複数の電気部品を備える装置では、各電気部品に対する電力供給や信号伝達のためにワイヤーハーネスが用いられることがある。ワイヤーハーネスは、複数の電線および複数のコネクタを有する集合部品であり、装置本体の周囲に設けられた配線スペースに配置される。そのため、ワイヤーハーネスを構成する電線が浮き上がると、その電線が他の自動車部品などと緩衝して断線するおそれがある。そこで、従来では、特許文献１に記載されているように、金属製の保持プレート（すなわち配線部材）に対して結束バンドを用いて電線を固定するようにしていた。
【先行技術文献】
【特許文献】
【０００３】
【特許文献１】特開２０１４−１９９０７１号
【０００４】
特許文献１に記載された従来の保持プレートは金属で形成されていたので、保持プレートの側端部などで電線が傷付けられるおそれがあった。また、保持プレートを配線スペースに固定した状態では、保持プレートで支持された部品の位置を調整することが困難であった。
【発明の概要】
【０００５】
本発明は、上記問題に対処するためになされたものであり、電線が傷付けられることを防止できるとともに、配線スペースで支持された部品の位置を容易に調整できる、配線部材およびそれを用いた配線ユニットを提供することを目的とする。
【０００６】
上記目的を達成するため、本発明に係る配線部材の特徴は、複数の端子を有する中継コネクタと前記複数の端子のそれぞれに電気的かつ物理的に接続された複数の電線とを有するワイヤーハーネスを配線スペースにおいて支持するための配線部材であって、前記中継コネクタを支持するための第１支持部と、前記複数の電線を支持するための第２支持部とを備え、前記第１支持部および前記第２支持部は、ゴム弾性を有する材料で一体的に形成されていることにある。
【０００７】
この構成によれば、第１支持部および第２支持部がゴム弾性を有する材料で一体的に形成されているので、第１支持部および第２支持部で電線が傷付けられることを防止できる。また、第１支持部および第２支持部を曲げたり伸ばしたりすることができるので、配線部材を配線スペースに固定した後でも、中継コネクタおよび電線の配線スペースにおける位置を容易に調整できる。
【０００８】
本発明の他の特徴は、前記中継コネクタは、複数の爪部を有しており、前記第１支持部には、前記複数の爪部のそれぞれに対応する複数の取付孔が形成されており、前記複数の爪部が前記複数の取付孔に挿し込まれることにある。
【０００９】
この構成によれば、第１支持部がゴム弾性を有する材料で形成されているので、中継コネクタの爪部を第１支持部の取付孔に挿し込み易い。また、中継コネクタを第１支持部に取り付けるための取付具が不要なため、部品点数を少なくすることができる。
【００１０】
本発明の他の特徴は、前記第１支持部および前記第２支持部の少なくとも一方には、固定具が挿通される固定孔を有する固定部がゴム弾性を有する材料で一体的に設けられていることにある。
【００１１】
この構成によれば、固定孔に挿通された固定具により、配線部材を簡単に固定できる。また、固定部はゴム弾性を有する材料で形成されているので、固定孔の内周部に環状のカラーを後付けにより取り付け易い。
【００１２】
本発明の他の特徴は、前記第２支持部は、前記複数の電線を収容する溝部を有していることにある。
【００１３】
この構成によれば、複数の電線を溝部に収容できるので、各電線を保護できるとともに、各電線が第２支持部から離脱することを抑制できる。
【００１４】
本発明の他の特徴は、前記溝部には、前記第２支持部から外側に引き出される前記複数の電線の少なくとも１本を通すための窓部が設けられていることにある。
【００１５】
この構成によれば、第２支持部から引き出された電線が窓部に配置されるので、電線を引き出す位置の変動を防止できる。
【００１６】
本発明の他の特徴は、前記第２支持部には、前記複数の電線の少なくとも１本を覆う離脱防止部がゴム弾性を有する材料で一体的に設けられていることにある。
【００１７】
この構成によれば、電線を離脱防止部で覆うことができるので、電線が第２支持部から離脱し難い。また、離脱防止部は、第２支持部に対して一体的に設けられているので、部品点数を少なくすることができる。
【００１８】
本発明の他の特徴は、前記離脱防止部は、その一端が前記第２支持部の幅方向一方側部に連結された帯状部と、前記帯状部の他端に設けられた第１接続片と、前記第２支持部の幅方向他方側部に設けられ、前記第１接続片が着脱可能に接続される第２接続片とを有していることにある。
【００１９】
この構成によれば、第２支持部に電線を装着するとき、第１接続片を第２接続片から離脱させて帯状部を退避させることができるので、電線を容易に装着できる。
【００２０】
本発明の他の特徴は、前記離脱防止部は、前記第２支持部から引き出された前記複数の電線の少なくとも１本が通される引出孔と、前記引出孔を径方向に開放する窓部とを有していることにある。
【００２１】
この構成によれば、第２支持部から引き出された電線が引出孔に通されるので、電線を引き出す位置の変動を防止できる。また、電線を引出孔に通す際には、引出孔の外部にある電線を窓部に通して引出孔の内部に移動させることができる。
【００２２】
上記目的を達成するため、本発明に係る配線ユニットの特徴は、複数の端子を有する中継コネクタと前記複数の端子のそれぞれに電気的かつ物理的に接続された複数の電線とを有するワイヤーハーネスと、上記のいずれかの配線部材とを備えることにある。
【００２３】
この構成によれば、第１支持部および第２支持部がゴム弾性を有する材料で一体的に形成されているので、第１支持部および第２支持部で電線が傷付けられることを防止できる。また、第１支持部および第２支持部を曲げたり伸ばしたりすることができるので、配線部材を配線スペースに固定した後でも、中継コネクタおよび電線の配線スペースにおける位置を容易に調整できる。
【図面の簡単な説明】
【００２４】
【図１】本発明の一実施形態に係る配線ユニットの構成を示す斜視図である。
【図２】第１支持部に対する中継コネクタの取付構造を示す図であり、（Ａ）は中継コネクタの一部を省略した正面図、（Ｂ）は底面図である。
【図３】本発明の一実施形態に係る配線部材の構成を示す斜視図である。
【図４】第１離脱防止部の構成を示す斜視図である。
【図５】第２離脱防止部の構成を示す斜視図である。
【図６】他の実施形態に係る配線部材の構成を示す斜視図である。
【発明を実施するための形態】
【００２５】
以下、本発明に係る配線ユニットおよび配線部材について図面を参照しながら説明する。
【００２６】
図１は、本発明の一実施形態に係る配線ユニット１０の構成を示す斜視図である。図２は、配線部材１４に対する中継コネクタ１６の取付構造を示す図であり、（Ａ）は中継コネクタ１６の一部を省略した正面図、（Ｂ）は底面図である。図３は、本発明の一実施形態に係る配線部材１４の構成を示す斜視図である。
【００２７】
（配線ユニット１０の構成）
図１に示すように、配線ユニット１０は、ワイヤーハーネス１２と配線部材１４とを備えており、使用時には、自動車の無断変速機（Continuously Variable Transmission:ＣＶＴ）の周囲に設けられた配線スペースＲにボルト等の固定具（図示省略）を用いて固定される。以下には、無断変速機、ワイヤーハーネス１２および配線部材１４の各構成をこの順に説明する。なお、無断変速機については、既存のものがそのまま使用されるため、図示を省略している。
【００２８】
（無断変速機の構成）
無断変速機は、２つのプーリーと、２つのプーリー間に巻き掛けられた環状のベルトと、油圧装置と、制御装置とを備えている。各プーリーは、円錐状の２枚のディスクを組み合わせることによって構成されている。油圧装置は、各プーリーのディスクを軸方向に移動させるための油圧シリンダーと、油圧シリンダーに対応して設けられた弁と、弁を操作するためのソレノイドとを有している。ソレノイドで弁を開放すると、油圧シリンダーが動作してディスクが軸方向に移動され、ディスク間の間隔が変動してプーリーの直径が変動する。制御装置はＣＰＵ（中央演算処理装置）を有しており、各種のセンサーから与えられた信号に基づいて、プーリーの直径が最適値に近づくように油圧装置を制御する。
【００２９】
（ワイヤーハーネス１２の構成）
図１に示すように、ワイヤーハーネス１２は、後述する配線部材１４の長さ方向一方端部に配置される中継コネクタ１６と、配線部材１４の長さ方向他方端部に配置される端部コネクタ１８と、中継コネクタ１６と端部コネクタ１８との間に配置される複数の中間コネクタ２０ａ〜２０ｈと、複数の電線２２，２２…とを有している。
【００３０】
図１に示す中継コネクタ１６は、無断変速機の制御装置（図示省略）に電気的かつ物理的に接続されるものである。図２（Ａ），（Ｂ）に示すように、中継コネクタ１６は、円筒状（図１）の本体部２４と、本体部２４の内部に設けられた複数の端子２６，２６…と、本体部２４の下面２４ａに設けられた複数（本実施形態では４つ）の爪部２８，２８…とを有している。各爪部２８，２８…は、互いに平行となるように下方に延びて形成されている。各爪部２８，２８…の先端部（下端部）には、配線部材１４の下面１４ａに引っ掛けられる突起状の引っ掛け部２８ａが形成されている。本実施形態では、２つの爪部２８，２８…が１組となっており、各組３０，３０…の各爪部２８，２８は、引っ掛け部２８ａ，２８ａどうしが対向するように配置されている。
【００３１】
図１に示す端部コネクタ１８は、無断変速機の外部に設けられた電気部品（図示省略）に電気的かつ物理的に接続されるものである。図１に示す各中間コネクタ２０ａ〜２０ｈは、無断変速機の内部に設けられたソレノイド、回転速度センサーおよび油温センサーなど（図示省略）に電気的かつ物理的に接続されるものである。
【００３２】
図１に示すように、各電線２２，２２…は、導電性金属線を絶縁性樹脂で被覆したものであり、電線束Ｇを構成するように束ねられている。各電線２２，２２…の一方端部は、中継コネクタ１６の複数の端子２６のそれぞれに電気的かつ物理的に接続されている。各電線２２，２２…の他方端部は、端部コネクタ１８、複数の中間コネクタ２０ａ〜２０ｈのいずれか１つ、他の電気部品などに電気的かつ物理的に接続されている。
【００３３】
図１に示すように、複数の中間コネクタ２０ａ〜２０ｈのそれぞれに接続される電線２２，２２…および他の電気部品に接続される電線２２，２２…は、電線束Ｇから分岐されており、電線束Ｇを構成する電線２２，２２…の数は、端部コネクタ１８に近づくほど少なくなっている。例えば、１本の電線が端部コネクタ１８に接続される場合、後述する配線部材１４は、中継コネクタ１６の近傍において複数の電線２２，２２…を支持し、端部コネクタ１８の近傍において１本の電線２２を支持することになる。なお、少なくとも１本の電線２２は、変速動作に関するデータを記憶するＲＯＭ（記憶装置）に電気的かつ物理的に接続されていてもよい。
【００３４】
（配線部材１４の構成）
図１に示すように、配線部材１４は、ワイヤーハーネス１２を配線スペースＲにおいて支持するものであり、中継コネクタ１６を支持するための第１支持部３４と、複数の電線２２，２２…を支持するための第２支持部３６とを備えている。第１支持部３４および第２支持部３６を含む配線部材１４の全体は、後述するカラー４２，８２を除いて、ゴムやエラストマーなどのゴム弾性を有する材料で一体的に形成されている。
【００３５】
図３に示すように、第１支持部３４は、図２（Ａ），（Ｂ）に示す中継コネクタ１６の本体部２４が載置される板状に形成されている。第１支持部３４には、図２（Ａ），（Ｂ）に示す複数の爪部２８のそれぞれに対応する複数の取付孔３８が形成されている。図２（Ｂ）に示すように、中継コネクタ１６を第１支持部３４に取り付ける際には、複数の爪部２８，２８…のそれぞれが対応する取付孔３８に挿し込まれ、各引っ掛け部２８ａ，２８ａ…が配線部材１４（すなわち第１支持部３４）の下面１４ａに対向するように配置される。したがって、中継コネクタ１６を第１支持部３４から引き離そうとすると、各引っ掛け部２８ａ，２８ａ…が配線部材１４（すなわち第１支持部３４）の下面１４ａに当接する。
【００３６】
図３に示すように、第１支持部３４には、ボルト等の固定具（図示省略）が挿通される固定孔４０ａを有する固定部４０がゴムやエラストマーなどのゴム弾性を有する材料で一体的に設けられている。固定孔４０ａの内周部には、金属からなる環状のカラー４２が後付で嵌合されている。本実施形態の固定孔４０ａは円形に形成されており、カラー４２は円環状に形成されている。
【００３７】
図３に示すように、第２支持部３６は、４つの直線部３７ａ〜３７ｄを有している。第１直線部３７ａと第２直線部３７ｂとは、平面視で直角に曲がる第１曲がり部Ｃ１を介して連結されており、第２直線部３７ｂと第３直線部３７ｃとは、平面視で直角に曲がる第２曲がり部Ｃ２を介して連結されている。第３直線部３７ｃが第２直線部３７ｂから延びる方向は、第１直線部３７ａが第２直線部３７ｂから延びる方向に対して反対方向になっている。これにより、第２支持部３６の長さ方向中央部には、逆Ｚ字状の部分が構成されている。第３直線部３７ｃと第４直線部３７ｄとは、平面視で鈍角（本実施形態では約１１０度）に曲がる第３曲がり部Ｃ３を介して連結されている。第４直線部３７ｄが第３直線部３７ｃから延びる方向は、第２直線部３７ｂが第３直線部３７ｃから延びる方向に対して反対方向になっている。なお、直接部の数や曲がり部の角度は、配線スペースＲ（図１）に沿うように適宜変更されてもよい
【００３８】
図３に示すように、第２支持部３６は、図１に示す複数の電線２２，２２…を下方から支持する細長い板状の底板部４６を有しており、この底板部４６によって４つの直線部３７ａ〜３７ｄの各底部が構成されている。底板部４６の幅方向一方側縁には第１側壁部４８が全長にわたって連続的に設けられている。底板部４６の幅方向他方側縁には第２側壁部５０が間欠的に設けられている。底板部４６と第１側壁部４８と第２側壁部５０によって複数の電線２２，２２…（図１）を収容する溝部５４が構成されている。溝部５４における第２側壁部５０を欠いた部分には、第２支持部３６から外側に引き出される少なくとも１本の電線２２，２２…（図１）を通すための少なくとも１つ（本実施形態では５つ）の窓部５２，５２…が設けられている。
【００３９】
図３に示すように、第２支持部３６には、第２支持部３６で支持された複数の電線２２，２２…（図１）の少なくとも１本を覆う少なくとも１つ（本実施形態では４つ）の第１離脱防止部６０ａ〜６０ｄが、ゴム弾性を有する材料で一体的に設けられている。本実施形態では、第１直線部３７ａに２つの第１離脱防止部６０ａ，６０ｂが設けられており、第３直線部３７ｃに１つの第１離脱防止部６０ｃが設けられており、第４直線部３７ｄに１つの第１離脱防止部６０ｄが設けられている。なお、第１離脱防止部６０ａ〜６０ｄの数や位置は、第２支持部３６の長さや形状などに応じて適宜変更されてもよい。各第１離脱防止部６０ａ〜６０ｄの構成はほぼ同じであるため、以下では、１つの第１離脱防止部６０ａに着目してその構成を説明する。
【００４０】
図４は、第１離脱防止部６０ａの構成を示す斜視図である。図４に示すように、第１離脱防止部６０ａは、その一端６２ａが第２支持部３６の幅方向一方側部３６ａに連結された帯状部６２と、帯状部６２の他端６２ｂに設けられた第１接続片６４とを有している。第１接続片６４の幅は、帯状部６２の幅よりも広くされており、第１接続片６４の幅方向両端部６４ａは、帯状部６２の幅方向両側縁から突出している。また、第１離脱防止部６０ａは、第２支持部３６の幅方向他方側部３６ｂに設けられ、第１接続片６４が着脱可能に接続される第２接続片６６を有している。第２接続片６６は、第２側壁部５０から側方に突出するように設けられており、第２接続片６６には、帯状部６２および第１接続片６４が挿し込まれる貫通孔６６ａが形成されている。貫通孔６６ａの幅は、第１接続片６４の幅よりも狭くされている。
【００４１】
帯状部６２および第１接続片６４が貫通孔６６ａに上方から挿し込まれたとき、第１接続片６４の幅方向両端部６４ａは、第２接続片６６の下面に対向するように配置される。したがって、帯状部６２および第１接続片６４を貫通孔６６ａから引き抜こうとすると、第１接続片６４の幅方向両端部６４ａが第２接続片６６の下面に当接する。貫通孔６６ａの幅は、第１接続片６４の幅よりも狭くされているので、第１接続片６４を貫通孔６６ａに貫通させる際には、第１接続片６４が圧縮または変形される。
【００４２】
図３に示すように、第２支持部３６には、第２支持部３６で支持された複数の電線２２，２２…（図１）の少なくとも１本を覆う少なくとも１つ（本実施形態では４つ）の第２離脱防止部７０ａ〜７０ｄがゴム弾性を有する材料で一体的に設けられている。本実施形態では、第１直線部３７ａに１つの第２離脱防止部７０ａが設けられており、第４直線部３７ｄに３つの第２離脱防止部７０ｂ〜７０ｄが並べて設けられている。なお、第２離脱防止部７０ａ〜７０ｄの数や位置は、第２支持部３６の長さや形状などに応じて適宜変更されてもよい。各第２離脱防止部７０ａ〜７０ｄの構成はほぼ同じであるため、以下では、１つの第２離脱防止部７０ｂに着目してその構成を説明する。
【００４３】
図５は、第２離脱防止部７０ｂ〜７０ｄの構成を示す斜視図である。図５に示すように、第２離脱防止部７０ｂは、その一端７２ａが第２支持部３６の幅方向一方側部３６ａに固定された板状の離脱防止片７２と、第２支持部３６から引き出された少なくとも１本の電線２２，２２…（図１）が通される引出孔７４と、引出孔７４を径方向に開放する切欠部７６とを有している。本実施形態では、離脱防止片７２の一端７２ａが第１側壁部４８の上端４８ａに連結されており、離脱防止片７２の他端７２ｂは自由端となっている。離脱防止片７２の他端７２ｂと第２側壁部５０の上端５０ａとの間隔は、１本の電線２２（図１）の直径よりも狭くされている。引出孔７４は、離脱防止片７２を上下方向に貫通するように形成されており、切欠部７６は、離脱防止片７２の他端７２ｂから引出孔７４の内面に至るように形成されている。切欠部７６の幅は、１本の電線２２（図１）の直径よりも狭くされている。
【００４４】
図５に示すように、第２支持部３６における第２離脱防止部７０ｂの近傍に位置する部分には、ボルト等の固定具（図示省略）が挿通される固定孔８０ａを有する固定部８０がゴムやエラストマーなどのゴム弾性を有する材料で一体的に設けられている。固定孔８０ａの内周部には、金属からなる環状のカラー８２が後付で嵌合されている。本実施形態では、固定部８０が第２支持部３６の底板部４６から側方に延びる板状に形成されている。また、固定孔８０ａが円形に形成されており、カラー８２が円環状に形成されている。なお、固定部８０の数や位置は適宜変更されてもよい。
【００４５】
図１に示すように、配線部材１４にワイヤーハーネス１２を装着した状態において、複数の電線２２，２２…は溝部５４の内部に収容される。複数の電線２２，２２…の一部は、電線束Ｇから側方に分岐され、窓部５２，５２…を通して第２支持部３６から外側に引き出される。複数の電線２２，２２…の他の一部は、電線束Ｇから上方に分岐され、第２離脱防止部７０ａ〜７０ｄの各引出孔７４（図５）を通して第２支持部３６から外側に引き出される。溝部５４の内部に収容された各電線２２，２２…は、第１離脱防止部６０ａ〜６０ｄの帯状部６２（図４）や第２離脱防止部７０ａ〜７０ｄの離脱防止片７２（図５）で覆われるので、各電線２２，２２…は第２支持部３６から離脱し難い。
【００４６】
（本実施形態の効果）
本実施形態によれば、上記構成により以下の各効果を奏することができる。すなわち、図１に示す配線部材１４の第１支持部３４および第２支持部３６は、ゴム弾性を有する材料で一体的に形成されているので、第１支持部３４および第２支持部３６で電線２２，２２…が傷付けられることを防止できる。また、第１支持部３４および第２支持部３６を曲げたり伸ばしたりすることができるので、配線部材１４を配線スペースＲに固定した後でも、中継コネクタ１６および電線２２，２２…の配線スペースＲにおける位置を容易に調整できる。さらに、図２（Ｂ）に示す中継コネクタ１６の爪部２８を第１支持部３４の取付孔３８に挿し込み易い。
【００４７】
図２（Ｂ）に示すように、中継コネクタ１６の爪部２８を第１支持部３４の取付孔３８に挿し込むだけで、中継コネクタ１６を第１支持部３４に取り付けることができるので、別部品となる取付具は不要であり、部品点数を少なくすることができる。
【００４８】
図３に示すように、第２支持部３６には、曲がり部Ｃ１〜Ｃ３が設けられているので、各曲がり部Ｃ１〜Ｃ３において第２支持部３６を容易に変形させることができ、配線スペースＲが狭い場合でも配線ユニット１０を容易に設置できる。
【００４９】
図３に示すように、第１支持部３４および第２支持部３６には、固定孔４０ａ，８０ａを有する固定部４０，８０が設けられているので、固定孔４０ａ，８０ａに挿通された固定具（図示省略）で配線部材１４を簡単に固定できる。固定部４０，８０はゴム弾性を有する材料で形成されているので、固定孔４０ａ，８０ａの内周部に環状のカラーを嵌合し易い。
【００５０】
図１に示すように、複数の電線２２，２２…を溝部５４に収容できるので、各電線２２，２２…を保護できるとともに、各電線２２，２２…が第２支持部３６から離脱することを抑制できる。また、第２支持部３６から引き出された電線２２，２２…が窓部５２，５２…に配置されるので、電線２２，２２…を引き出す位置の変動を防止できる。
【００５１】
図１に示すように、電線２２，２２…を第１離脱防止部６０ａ〜６０ｄおよび第２離脱防止部７０ａ〜７０ｄで覆うことができるので、電線２２，２２…が第２支持部３６から離脱し難い。また、これらの離脱防止部は、第２支持部３６に対して一体的に設けられているので、部品点数を少なくすることができる。
【００５２】
図４中の二点鎖線に示すように、第１離脱防止部６０ａの第１接続片６４を第２接続片６６から離脱させることによって、帯状部６２を退避させることができるので、第２支持部３６に対して電線２２，２２…（図１）を容易に装着できる（他の第１離脱防止部６０ｂ〜６０ｄにおいて同じ）。
【００５３】
図５に示すように、第２離脱防止部７０ｂは、第２支持部３６から引き出された電線２２，２２…が通される引出孔７４を有しているので、引出孔７４によって電線２２，２２…を引き出す位置の変動を防止できる。また、引出孔７４は、切欠部７６によって径方向に開放されているので、引出孔７４の外部にある電線２２，２２…を切欠部７６に通して引出孔７４の内部に移動させることができる（他の第２離脱防止部７０ａ，７０ｃ，７０ｄにおいて同じ）。
【００５４】
（変形例）
なお、本発明の実施にあたっては、上記実施形態に限定されず、本発明の目的を逸脱しない限りにおいて種々の変更が可能である。例えば、上記実施形態では、引出孔７４および切欠部７６を有する第２離脱防止部７０ａ〜７０ｄ（図５）が第２支持部３６に設けられているが、電線２２，２２…を分岐させない箇所では、引出孔７４および切欠部７６を有しない片持ちの離脱防止部（図示省略）が設けられてもよい。
【００５５】
図３に示すように、上記実施形態では、固定部４０および８０が、第１支持部３４および第２支持部３６のそれぞれに設けられているが、固定部は第１支持部３４および第２支持部３６の一方にだけ設けられてもよい。
【００５６】
図１に示すように、上記実施形態では、配線ユニット１０（配線部材１４を含む）が自動車の無断変速機に用いられているが、配線ユニットは、複数の電気部品の相互間での配線を必要とする他の装置に用いられてもよい。
【００５７】
図６は、他の実施形態に係る配線部材９０の構成を示す斜視図である。なお、図６では、配線部材９０の一部の構成だけを示しており、第１支持部などの構成は省略している。図６に示すように、他の実施形態に係る配線部材９０では、第２支持部９２に対して、複数の電線（図示省略）の少なくとも１本を覆う第３離脱防止部９４がゴム弾性を有する材料で一体的に設けられている。第３離脱防止部９４は、その一端９６ａが第２支持部９２の幅方向一方側部９２ａに連結された板状の第１離脱防止片９６と、その一端９８ａが第２支持部９２の幅方向他方側部９２ｂに連結された板状の第２離脱防止片９８とを有している。第１離脱防止片９６の他端９６ｂと第２離脱防止片９８の他端９８ｂとの隙間の幅は、１本の電線（図示省略）の直径よりも狭くされている。この配線部材９０においても、第３離脱防止部９４によって第２支持部９２からの電線（図示省略）の離脱を防止できる。
【符号の説明】
【００５８】
Ｒ…配線スペース、１０…配線ユニット、１２…ワイヤーハーネス、１４…配線部材、
１６…中継コネクタ、２２…電線、２６…端子、３４…第１支持部、３６…第２支持部
【図１】
2017108569.tif 000003
【図２】
2017108569.tif 000004
【図３】
2017108569.tif 000005
【図４】
2017108569.tif 000006
【図５】
2017108569.tif 000007
【図６】
2017108569.tif 000008